(57)【要約】      （修正有）【課題】紙製の簡易な組み立て式のものであることの多い害虫捕獲器を収容する害虫捕獲器用ケースであって、使用時に害虫捕獲器が視認されないものを提供すること。また、実施の形態により、外力及び水から害虫捕獲器を保護するもの、害虫捕獲器に接触せずに害虫捕獲器及び捕獲された害虫を廃棄できるものを提供すること。【解決手段】天板２、底板４及び２つの側板３によって筒体に構成され、害虫捕獲器を外部から視覚的に隠蔽する程度に非透明である害虫捕獲器用ケース１を提供する。害虫捕獲器用ケース１に十分な剛性を持たせる。また、害虫捕獲器の一端に接するフック８を備え、害虫捕獲器用ケース１の外側に設けられたつまみによってフック８を移動して害虫捕獲器を排出する。【選択図】図１
0003194310.tif 000002
【実用新案登録請求の範囲】
【請求項１】
害虫捕獲器を収納して使用するための害虫捕獲器用ケースであって、
天板、底板及び２つの側板によって筒体に構成され、
少なくとも前記天板及び前記側板は、前記害虫捕獲器を外部から視覚的に隠蔽する程度に非透明であることを特徴とする、害虫捕獲器用ケース。
【請求項２】
前記天板及び前記側板は、前記底板が床面に接するように害虫捕獲器用ケースを置いて前記天板の上に人が乗っても潰れない剛性を有することを特徴とする、請求項１に記載の害虫捕獲器用ケース。
【請求項３】
前記天板、前記底板及び前記側板の少なくとも１つに前記筒体の軸方向に伸びるスリットを備え、
前記害虫捕獲器の前記軸方向の一端に接するフックを備え、
前記フックは、前記スリットを介して、害虫捕獲器用ケースの外側に設けられたつまみと結合していることを特徴とする、請求項１又は２に記載の害虫捕獲器用ケース。
【請求項４】
前記フックの前記害虫捕獲器側に前記スリットを覆う遮蔽板を備えることを特徴とする、請求項３に記載の害虫捕獲器用ケース。
【請求項５】
前記スリットは、前記天板又は前記側板に設けられ、
前記遮蔽板は、断面コの字状に、前記天板と前記害虫捕獲器の間及び前記側板と前記側板と前記害虫捕獲器の間に設けられることを特徴とする、請求項４に記載の害虫捕獲器用ケース。
【請求項６】
前記遮蔽板は、前記フックから前記軸方向に前記スリットの長さの２分の１までの部分及び前記スリットを覆う部分は不透明又は半透明であり、その他の部分に透明部又は切り欠きが設けられていることを特徴とする、請求項５に記載の害虫捕獲器用ケース。
【請求項７】
前記底板の外側に滑り止め部材を設けたことを特徴とする、請求項１〜６のいずれか１項に記載の害虫捕獲器用ケース。
【請求項８】
前記底板の外側に滑り止め部材を備え、
前記スリットは前記底板に備えられ、
前記滑り止め部材の高さは前記つまみの高さよりも大きいことを特徴とする、請求項３又は４に記載の害虫捕獲器用ケース。
【請求項９】
前記底板の前記筒体の軸方向の両端に、設置面と前記底板の内面との段差を解消するスロープを備えることを特徴とする、請求項１〜８のいずれか１項に記載の害虫捕獲器用ケース。
【請求項１０】
前記天板又は前記側板に取手を備えることを特徴とする、請求項１〜９のいずれか１項に記載の害虫捕獲器用ケース。
【請求項１１】
前記取手は、棒を挿入するための孔部を備えることを特徴とする、請求項１０に記載の害虫捕獲器用ケース。
【考案の詳細な説明】
【技術分野】
【０００１】
本考案は害虫捕獲器を収納して使用するための害虫捕獲器用ケースに関するものである。
【背景技術】
【０００２】
ゴキブリ等の害虫を誘引し、粘着剤によって捕獲する害虫捕獲器（例えば非特許文献１参照）が広く用いられている。従来の害虫捕獲器は、紙製の使い捨てタイプのもので組み立てたものをそのまま設置使用するものが多かった。
【０００３】
しかしながら、従来の害虫捕獲器には、以下の問題があった。
【０００４】
（問題１）
簡易な紙製の組み立て式のものであり、その強度や耐久性は十分とは言えず、例えば誤って踏みつぶす、幼児やペットが乗る、掃除機のヘッドが吸い付くなどの原因で、害虫捕獲器が押しつぶされてしまい、粘着剤が箱の天面と接着して元に戻らなくなる問題があった。また、紙製であることから水濡れに弱く変形して反り返ってしまうと害虫の誘引（害虫捕獲器への侵入）を妨げるといった問題があった。このため、誘引剤、粘着剤の機能が発揮されていても、早期に廃棄しなければならない状況が発生していた。
【０００５】
（問題２）
誤って害虫捕獲器を踏みつぶししまうと、捕まっているゴキブリ等を踏みつぶす場合もあり、不衛生に感じ、非常に気色の悪い思いをするという問題があった。また、特に害虫捕獲器を廃棄する際には、捕まっている害虫やゴキブリの様子が見えやすく、ゴキブリを苦手とする者にとっては、脆い紙一枚を隔てて素手で害虫捕獲器を廃棄する作業は非常な恐怖を感じるという問題があった。
【０００６】
（問題３）
従来の紙製害虫捕獲器のデザインは一般的に広く非常に良く知られている為、設置した当人以外の者が見た場合、設置してあるだけで害虫やゴキブリのイメージと直結してしまい、不衛生な状況にあるとの判断をされてしまう。このため、飲食店等においてはできるだけ目立たない箇所に設置することとなってしまい、多くの害虫を誘引するような本来置きたい場所に置けないという問題があった。
【０００７】
上記の問題に対応するものとして、特許文献１には、プラスチック製の箱体に捕獲剤を収容したゴキブリ捕獲用ユニットが開示されている。これによれば、上記問題１及び問題３は回避される。しかし、問題２、特に捕獲されたゴキブリを廃棄する際の不快感に対応するものではなかった。また、特別な設計のゴキブリ捕獲用ユニットであり、生産コスト等の問題もあった。
【先行技術文献】
【特許文献】
【０００８】
【特許文献１】特開２０１０−２２７０４９号公報
【非特許文献】
【０００９】
【非特許文献１】ごきぶりホイホイ  http://www.earth-chem.co.jp/top01/gokiburi/goki_hoihoi/goki_hoihoi.htm
【考案の概要】
【考案が解決しようとする課題】
【００１０】
本考案は、紙製の簡易な組み立て式のものであることの多い害虫捕獲器を収容する害虫捕獲器用ケースであって、使用時に害虫捕獲器が視認されないものを提供することを課題とする。また、考案の実施の形態により、外力及び水から害虫捕獲器を保護するもの、害虫捕獲器に接触せずに害虫捕獲器及び捕獲された害虫を廃棄できるものを提供することを課題とする。
【課題を解決するための手段】
【００１１】
本考案の害虫捕獲器用ケースは、
害虫捕獲器を収納して使用するための害虫捕獲器用ケースであって、
天板、底板及び２つの側板によって筒体に構成され、
少なくとも前記天板及び前記側板は、前記害虫捕獲器を外部から視覚的に隠蔽する程度に非透明であることを特徴とする。
【００１２】
筒体の一端から害虫捕獲器を挿入して利用することができる。筒体は害虫捕獲器を外部から視覚的に隠蔽する程度に非透明であるので、使用時に害虫捕獲器が視認されてしまうことがない。
【００１３】
本考案の害虫捕獲器用ケースは、
前記天板及び前記側板は、前記底板が床面に接するように害虫捕獲器用ケースを置いて前記天板の上に人が乗っても潰れない剛性を有することを特徴とすることができる。
【００１４】
誤って踏む、幼児やペットが乗る、掃除機のヘッドが吸い付くなどのことが害虫捕獲器用ケースについて行われても、収納された害虫捕獲器が変形したり破壊したりすることがない。また、かかる剛性を持つ素材（例えば金属やプラスチック）は水を通さないので、害虫捕獲器用ケースに水がかかっても、収納された害虫捕獲器が濡れることがない。
【００１５】
本考案の害虫捕獲器用ケースは、
前記天板、前記底板及び前記側板の少なくとも１つに前記筒体の軸方向に伸びるスリットを備え、
前記害虫捕獲器の前記軸方向の一端に接するフックを備え、
前記フックは、前記スリットを介して、害虫捕獲器用ケースの外側に設けられたつまみと結合していることを特徴とすることができる。
【００１６】
害虫捕獲器に触れずに、つまみを操作してフックを動かし、害虫捕獲器を押して害虫捕獲器用ケースから排出することができる。
【００１７】
本考案の害虫捕獲器用ケースは、
前記フックの前記害虫捕獲器側に前記スリットを覆う遮蔽板を備えることを特徴とすることができる。
【００１８】
スリットの部分から、害虫捕獲器の一部が視認されることがある。遮蔽板によってかかる視認を防ぐ。
【００１９】
本考案の害虫捕獲器用ケースは、
前記スリットは、前記天板又は前記側板に設けられ、
前記遮蔽板は、断面コの字状に、前記天板と前記害虫捕獲器の間及び前記側板と前記側板と前記害虫捕獲器の間に設けられることを特徴とする。
【００２０】
害虫捕獲器を廃棄する際に、害虫捕獲器用ケースから排出された害虫捕獲器を遮蔽することができる。なお、断面コの字状として底板側に空間を持たせ、害虫捕獲器を落下させる。
【００２１】
本考案の害虫捕獲器用ケースは、
前記遮蔽板は、前記フックから前記軸方向に前記スリットの長さの２分の１までの部分及び前記スリットを覆う部分は不透明又は半透明であり、その他の部分に透明部又は切り欠きが設けられていることを特徴とする。
【００２２】
害虫捕獲器を廃棄する際には、フックに接合されたつまみを操作する。操作する手の部分の近傍では害虫捕獲器を遮蔽する。一方、手から離間した箇所では害虫捕獲器が視認でき、廃棄されたことが把握しやすい。
【００２３】
本考案の害虫捕獲器用ケースは、
前記底板の外側に滑り止め部材を設けたことを特徴とすることができる。
【００２４】
床面に設置した場合に、滑り止め部材によって安定した設置が可能である。
【００２５】
本考案の害虫捕獲器用ケースは、
前記底板の外側に滑り止め部材を備え、
前記スリットは前記底板に備えられ、
前記滑り止め部材の高さは前記つまみの高さよりも大きいことを特徴とすることができる。
【００２６】
底板にスリットを設けることは、使用時にスリットから害虫捕獲器の一部が視認されることがなく、好ましい。一方、つまみが底板から突出するため、床面への設置が容易ではない。滑り止め部材の高さがつまみの高さよりも大きいことで、滑り止め部材によって安定した設置が容易になる。
【００２７】
本考案の害虫捕獲器用ケースは、
前記底板の前記筒体の軸方向の両端に、設置面と前記底板の内面との段差を解消するスロープを備えることを特徴とすることができる。
【００２８】
設置面と底板の内面との段差によって害虫の誘引が衰えることを防止する。
【００２９】
本考案の害虫捕獲器用ケースは、
前記天板又は前記側板に取手を備えることを特徴とすることができる。
【００３０】
取手により、害虫捕獲器用ケースを容易に移動することができる。
【００３１】
本考案の害虫捕獲器用ケースは、
前記取手は、棒を挿入するための孔部を備えることを特徴とする。
【００３２】
害虫捕獲器の近傍に手を伸ばすことさえ恐怖を感じる者は、害虫捕獲機を廃棄する際に、つかみ棒を孔部に挿入して例えば５０ｃｍ離間した箇所で操作することができる。なお、つまみを取手と同一の面に設けることで、つかみ棒で取手を把持し他の棒等でつまみを動かして廃棄することができる。
【考案の効果】
【００３３】
本考案によれば、簡易な紙製の組み立て式のものであることの多い害虫捕獲器を収容する害虫捕獲器用ケースであって、使用時に害虫捕獲器が視認されないものが提供される。また、考案の実施の形態により、外力及び水から害虫捕獲器を保護するもの、害虫捕獲器に接触せずに害虫捕獲器及び捕獲された害虫を廃棄できるものが提供される。
【図面の簡単な説明】
【００３４】
【図１】図１は、害虫捕獲器用ケースを示す図である。（実施例１）
【図２】図２は、害虫捕獲器を示す図である。（実施例１）
【図３】図３は、害虫捕獲器用ケースの使用状態を示す図である。（実施例１）
【図４】図４は、害虫捕獲器の排出を説明する図である。（実施例１）
【図５】図５は、害虫捕獲器用ケースの底面を示す図である。（実施例１）
【図６】図６は、害虫捕獲器用ケースを示す図である。（実施例２）
【図７】図７は、遮蔽板を有する害虫捕獲器用ケースの使用状態を示す図である。（実施例２）
【図８】図８は、遮蔽板、遮蔽側板、フック、つまみを一体化した部品を示す図である。（実施例２）
【図９】図９は、遮蔽板、遮蔽側板、フック、つまみを一体化した部品のバリエーションを示す図である。（実施例２）
【図１０】図１０は、害虫捕獲器用ケースを示す図である。（実施例３）
【図１１】図１１は、害虫捕獲器の廃棄状況を示す図である。（実施例３）
【考案を実施するための形態】
【００３５】
以下、害虫捕獲器用ケースの構造に係る実施例１〜３を示す。合わせて、実施例４として、本考案の害虫捕獲器用ケースの意匠を説明する。
【実施例１】
【００３６】
図１は、害虫捕獲器用ケースを示す図である。害虫捕獲器用ケース１は、天板２、側板３及び底板４によって筒体に構成されている。図において、右上から左下に向かう方向が筒の軸方向であり、図の右上及び左下の端部から、害虫捕獲器を挿入、排出することができる。害虫捕獲器を挿入して使用する。
【００３７】
天板２、側板３及び底板４は、ステンレス鋼製であり、その厚みは例えば３ｍｍである。底板４が床面に直接に（あるいは滑り止め材１０を介して間接に）接するように害虫捕獲器用ケース１を置いて、天板２の上に人が乗っても潰れないだけの剛性を持っている。なお、天板２及び側板３が剛性を持っていれば、底板４が剛性を持っていなくてもよい。害虫捕獲器用ケース１は、害虫捕獲器を外力（誤って踏みつける、物を落とす、ペットや幼児が乗る、いたずらをする等によって発生する圧力や衝撃）及び水から害虫捕獲器を保護する。
【００３８】
また、ステンレス鋼製の天板２及び側板３は不透明であり、内部に収容された害虫捕獲器を視認することができないようになる。また、捕獲された害虫の姿が見えにくくなる。害虫捕獲器用ケースを人目にふれ易い所にも置くことが容易となり、目立たないように害虫捕獲器を設置したい者（飲食店等）にとって使用の機会が拡大される。
【００３９】
天板２、側板３及び底板４の材質は、ステンレス鋼に限定されず、十分な剛性があり、不透明であれば、いかなるものであってもよい。例えば、鉄製その他の金属製、木製、プラスチック製等であってもよい。
【００４０】
天板２には取手５が備えられ、害虫捕獲器が挿入されたままで、害虫捕獲器に触れることなく害虫捕獲器用ケース１（及び害虫捕獲器）を容易に移動することができる。なお、取手５は、側板３に備えてもよい。
【００４１】
筒体の両端（害虫の侵入口）にはスロープ６が備えられ、接地面と底板内面との段差によって害虫の侵入が妨げられてしまうことがない。
【００４２】
底板４にはスリット７が設けられ、スリット７の上方にフック８が存在する。スリット７及びフック８については、図３及び図４を用いて後述する。
【００４３】
図２は、害虫捕獲器を示す図である。害虫捕獲器２０は、筒状の紙製であり、端部２１から害虫を侵入させて捕獲する。上面２３には切り欠き２２が設けられ、切り欠き２２を持ち上げてつまむことで、捕獲された害虫に触れることなく害虫捕獲器２０を廃棄できる。しかし、切り欠きからは捕獲された害虫が視認でき、かかる廃棄に抵抗感を持つ者も多い。
【００４４】
上面２３及び側面２４には、害虫捕獲器に固有の印刷（例えば、上面２３は赤色を基調とし、側面２４は黄色を基調とした、全体として建物を模した模様）がなされている。かかる印刷は、それを見る者にとって、害虫捕獲器が設置されていることが明らかである。飲食店等においては、害虫捕獲器を設置してあることで不衛生な感覚を与えてしまうことから、設置を好まない店も多い。ここで、害虫捕獲器用ケース１を用いることで、害虫捕獲器が視認されず、飲食店等に設置しやすくなる。
【００４５】
図３は、害虫捕獲器用ケースの使用状態を示す図である。図１に示した害虫捕獲器用ケース１に、図２に示した害虫捕獲器２０を収容した状態を、図１におけるＡ方向から見た図（Ｂ線断面図）である。
【００４６】
フック８が、害虫捕獲器２０の底面に接して係合している。フック８を図の奥側（紙面垂直方向）に押すことで、害虫捕獲器２０は害虫捕獲器用ケース１から排出される。
【００４７】
フック８は、害虫捕獲器用ケース１の外側に設けられたつまみ９とスリット７を介して結合している。つまみ９を動かすことにより、害虫捕獲器２０を害虫捕獲器用ケース１かた排出し、廃棄することができる。つまみ９のみに触れ、捕獲器に接触することなく排出ができる。特に、ゴキブリに対して恐怖心を抱く者には安心である。
【００４８】
本実施例では、底板４にスリット７が設けられている。スリットは天板２又は側板３にも設けることができるが（側板３に設ける場合には、スリット７とフック８の先端との距離を、害虫捕獲器２０の側面に達するに十分な長さとする。）、使用時にスリット７から害虫捕獲器２０の一部が視認されることがないため底板４に設けることが好ましい。一方、つまみ９が底板４から下方に突出するため、底板４の床面への設置が容易ではない。
【００４９】
底板４には、滑り止め部材１０が付されている。滑り止め部材１０は、床面に設置した時に害虫捕獲器用ケース１が移動することを防ぐ。ここで、滑り止め部材１０の高さがつまみ９の高さよりも大きいことで、安定して設置することができる。つまみ９は、図において１０ａで示す滑り止め部材の接する平面よりも上方にある。
【００５０】
図４は、害虫捕獲器の排出を説明する図である。使用時には、（Ａ）のように、害虫捕獲器２０が害虫捕獲器用ケース１に収納されている。ここで、つまみ９を図の黒矢印方向に動かすことで、（Ｂ）のように害虫捕獲器２０が排出される。
【００５１】
図５は、害虫捕獲器用ケースの底面を示す図である。スリット７、つまみ９及び滑り止め部材１０の位置関係を示す。
【実施例２】
【００５２】
図６は、害虫捕獲器用ケースを示す図である。本実施例では、スリット７が天板２に設けられている。つまみ９の高さの制限がなく、またつまみ９が使用時に見えるので、つまみ９を個性的なデザイン（例えば人形の形状）として害虫捕獲器用ケース１の意匠性を高めることができる。
【００５３】
一方、使用時に、スリット７から害虫捕獲器２０の一部が視認できることが問題となる。害虫捕獲器であることが露呈するほどの広範囲が視認されるものではないが、赤色の紙が見えることで害虫捕獲器であると推認され得る。そこで、以下のように遮蔽板１１を利用する。
【００５４】
図７は、遮蔽板を有する害虫捕獲器用ケースの使用状態を示す図である。図６に示した害虫捕獲器用ケース１に、図２に示した害虫捕獲器２０を収容した状態を、図６におけるＣ方向から見た図（Ｄ線断面図）である。
【００５５】
遮蔽天板１１が、天板２のスリット７を含む部分と害虫捕獲器２０との間に設けられている。遮蔽天板１１は、その一端がフック８とつまみ９とを結合する部材に接合され、側辺は遮蔽側板１２に結合されている。遮蔽天板１１と２つの遮蔽側板１２とを合わせて、断面コの字状の屈曲板となる。
【００５６】
遮蔽天板１１、遮蔽側板１２、フック８、つまみ９は、１つの部品に一体化することができる。図８は、遮蔽天板、遮蔽側板、フック、つまみを一体化した部品を示す図である。かかる部品を使用すれば、本実施例の害虫捕獲器用ケース１も低コストで生産できる。
【００５７】
遮蔽天板１１は、スリット７の箇所で、害虫捕獲器２０が害虫捕獲器用ケース１の外から視認されることを防ぐ。不透明であることが好ましいが、害虫捕獲器２０の表面であることがわからない程度に隠蔽できれば、半透明であってもよい。
【００５８】
遮蔽側板１２は、害虫捕獲器２０が排出される時に、その側面が視認されることを防ぐ。図４（Ｂ）において、害虫捕獲器２０が見えているが、ここに遮蔽側板１２が見える。排出時にも害虫捕獲器２０が見えない。広く用いられている害虫捕獲機の中には、捕獲した害虫が側面から見えるものもある。その場合にも害虫が見えなくなる。特に、ゴキブリに対して恐怖心を抱く者にとって安心である。
【００５９】
なお、遮蔽天板１１がスリット７からの害虫捕獲器２０の視認を防止するためにスリット７の下方のみに設けられ、遮蔽側板１２が設けられなくてもよい。しかし、遮蔽側板１２によって、害虫捕獲器２０が排出される時にも、少なくとも手の触れるつまみ９の近傍では害虫捕獲器２０が視認されないことが好ましい。
【００６０】
図９は、遮蔽板、遮蔽側板、フック、つまみを一体化した部品のバリエーションを示す図である。（Ａ）に示すように、遮蔽天板１１のフックからスリット長の２分の１までの部分１１ａ及びスリットを覆う部分１１ｂは、不透明又は半透明である。遮蔽側板１２のフックからスリット長の２分の１までの部分１２ａも、不透明又は半透明である。
【００６１】
１１ａ、１１ｂ及び１２ａ以外の部分は、透明としても切り欠きを設けることとしてもよい。（Ｂ）のように遮蔽側板のフックと反対側の部分１２ｂを透明にすると、害虫捕獲器２０を廃棄する際に、害虫捕獲器用ケース１からの落下が容易に視認される。また、（Ｃ）のように切り欠き１２ｃを設けてもよい。１１ａ、１１ｂ及び１２ａ以外の部分は、任意に設計することができる。（Ｂ）及び（Ｃ）において、網掛け部分は不透明又は半透明であり、網掛けのない部分は透明である。
【実施例３】
【００６２】
図１０は、害虫捕獲器用ケースを示す図である。実施例２の害虫捕獲器用ケース１の取手５に、孔部５１を設けたものである。孔部５１の形状はいかなるものでもよいが、本実施例では円形とする。
【００６３】
図１１は、害虫捕獲器の廃棄状況を示す図である。害虫捕獲器用ケース１に手を近づけることなく害虫捕獲器２０を廃棄するものである。
【００６４】
つかみ棒３０の先端の被挿入部３１を孔部５１に挿入する。グリップ３２を握ることにより、被挿入部３１の上半３１ａが引き上げられ、被挿入部３１は、孔部５１の周縁に押し当てられ、被挿入部３１の周縁と孔部５１の周縁との間の摩擦によって孔部５１に固定される。つかみ棒３０が垂直に伸びずに斜めであっても害虫捕獲器を把持して移動させることができる。なお、被挿入部３１及び孔部５１の周縁の形状として円形以外のものを採用し、摩擦によらずに噛合によって固定することもできる。
【００６５】
つまみ移動棒３３でつまみ９を移動させ、害虫捕獲器２０を害虫捕獲器用ケース１から排出して廃棄する。つかみ棒３０及びつまみ移動棒３３により、害虫捕獲器２０に手を近づけずに廃棄することができる。害虫（特にゴキブリ）を嫌う者は、衛生感を感じることができる。
【実施例４】
【００６６】
本実施例は、害虫捕獲器用ケース１の外面の意匠を示すものである。害虫捕獲器用ケース１の構造は、実施例１〜３と同様であり、説明を省略する。
【００６７】
害虫捕獲器用ケース１の外装に多種多様な色彩、柄を施すことでデザイン性を向上させることができる。よって個人の好み次第で置く状況や部屋のデザインに合わせた外装を選択することが出来、ひいては装置の外装に趣味性という新たな性質をみいだすことが出来る。プリントされたフィルムを部分的、あるいは全体的に貼り付ける方法であればプリントを変えることで安価にて多様なデザインを提供することができる。
【００６８】
害虫捕獲器の使用状況によっては求められるデザインが様々であることが考えられる。例えば飲食店などの業務用では衛生的に機能本位に使用されるであろうから、ステンレス材を素地のまま用いても景観には清潔感があり機能も充分で好適といえよう。家庭の台所においても前記のものは好適であろう。木目のフローリングに置くならばその柄を模したデザインならば目立たずに設置することが出来よう。
【００６９】
また、害虫捕獲器用ケース１そのものに趣味性を求めるならばチェック柄、ストライプ、水玉模様、幾何学模様、ヒョウ柄、キャラクターもの等々、多種のバリエーションが考えられる。あるいは無地の外装に使用者独自のデザインをマジック等で自由に施しても面白いであろう。
【００７０】
装置の素材については様々なものが考えられるが金属ではステンレスが強度的にも耐食性にも優れており素地のまま用いても使用中の景観も好ましく清潔感があり好適である。
【産業上の利用可能性】
【００７１】
使用時に害虫捕獲器が視認されず、外力及び水から害虫捕獲器を保護し、害虫捕獲器に接触せずに（つかみ棒を使用する場合には手を近づけずに）衛生的な感覚を持って害虫捕獲器及び捕獲された害虫を廃棄できる害虫捕獲器用ケースである。多くの飲食店、個人等による利用が考えられる。
【符号の説明】
【００７２】
１    害虫捕獲器用ケース
２    天板
３    側板
４    底板
５    取手
５１  孔部
６    スロープ
７    スリット
８    フック
９    つまみ
１０  滑り止め部材
１１  遮蔽天板
１２  遮蔽側板
２０  害虫捕獲器
３０  つかみ棒
３１  被挿入部
３２  グリップ
３３  つまみ移動棒
【図１】
0003194310.tif 000003
【図２】
0003194310.tif 000004
【図３】
0003194310.tif 000005
【図４】
0003194310.tif 000006
【図５】
0003194310.tif 000007
【図６】
0003194310.tif 000008
【図７】
0003194310.tif 000009
【図８】
0003194310.tif 000010
【図９】
0003194310.tif 000011
【図１０】
0003194310.tif 000012
【図１１】
0003194310.tif 000013